(57)【要約】      （修正有）【課題】双方へのダメージを少なくして安全性の高いエアークッション式プロテクターを提供する。【解決手段】ボディープロテクター、脛当て及び金的カップ用具それぞれの内部に袋状１、２のエア層を設け、それに小さな穴３、４を数個開けたエアークッション式プロテクターであって、瞬間的な衝撃に対しても、エアーが瞬間的に流出して衝撃を吸収すると共に、一気に空気が抜けず、クッション性に優れる。【選択図】図１
0003211708.tif 000002
【実用新案登録請求の範囲】
【請求項１】
人体保護具として、空手や格闘技に使用するボディープロテクターや、脛当て、又金的カップ用具の内部に袋状のエァー層を設け、それに小さな穴を数個開け瞬間衝撃があった場合に、エァーが瞬間的に流出し衝撃を吸収する作用と、一気に抜けない作用と、瞬時に復元する、三作用等を応用しクッション性に優れている事を特徴とするエァークッション式プロテクター。
【考案の詳細な説明】
【技術分野】
【０００１】空手競技や格闘技の安全のためボディーや脛、又金的等に保護具を付けているが、より安全性を高める為おのおのの用具の内部にエァー層を設け、エァーの流通を応用し、自分への保護と相手への衝撃を柔げようとする物である。
【背景技術】
【０００２】従来のボディープロテクターや脛当て又、金的カップは単なるスポンジ等で保護しているが、衝撃を与えれば与えるほど、スポンジは圧縮され硬くなり弾力性がなくなるため、双方のダメージは計り知れないものとなる。
【考案が解決しようとする課題】
【０００３】従来の空手競技や格闘技用のボディーや脛当て、金的カップは単なるスポンジ性の物が多く安全性に欠けているのが現状で瞬間衝撃に対する効果が発揮されていない。
【問題を解決するための手段】
【０００４】そこで本考案はボディーや脛、金的を保護するためと、相手への衝撃を柔らげるべく、それぞれの用具の内部に袋状のエァー層を設ける事にした、クッション性に優れたスポンジ系やゴム系で袋状にしボディーやすね当て、金的にマッチする物に製作しエァーが流通する仕組にして、エァー層に小さなオリフィスの穴を数個開け瞬間衝撃があった場合にエァーが流出、衝撃を吸収し又一気に抜けない事を利用してクッション性を増し、双方への衝撃を柔らげようとするものである。
【考案の効果】
【０００５】従来の単なるスポンジだけの保護具より科学的根拠の基、はるかに衝撃吸収は良い又軽量に仕上げ競技力の向上にもつながりコスト的にも安く仕上げる事が出来る。
【図面の簡単な説明】
【０００６】
【図１】本考案に係る実施例を示す脛当ての姿図
【図１】の２図に図示の脛部  平面図（拡大）
【図１】の３図に図示の甲部  側面図（拡大）
【図２】金的カップの姿図
【図２】１図に図示の正面図
【図２】２図に図示の背面図
【図２】３図に図示の右側面図
【図２】４図に図示の平面図
【図３】１図に図示のボディープロテクターの正面図
【図３】２図に図示の断面図
【考案を実施するための形態】
【０００７】本考案に係る具体的実施例を図１から図３を参照して以下説明をする。
【実施例】
【０００８】まず本考案に係る実施例に基づいて説明をすると図１は脛当ての姿図で、図１の１は脛部に当てる袋状のスポンジ系又はゴム系で作製されていて、図１の２は甲部の部分でスポンジ系又はゴム系で作製されている、図１の３及び４は袋状より流通するエァーの穴で衝撃を吸収する役目を果たす、５は脛部の１を固定する為のふくらはぎバンドで６も同様足首を固定、７は甲部を固定する為のバンドである、さらに８は足底を固定９は親指を固定する事により脛部、甲部を完全に固定する、１０は人体のすねである図１の２平面図に示す４は穴の流通口を示す、図１の３の側面図は甲の部分の拡大で３の穴などを示している、この事により脛部及び甲部をエァーによって安全に守ろうとするものである。
図２に示す姿図は金的カップを取り付けた状態であるが金的を守ろうとするもので図２の１正面図の１１は金カップ本体で、１４の外部空気穴にて蒸れ等をカバーする、１２の袋状を本体の周辺を取り巻き１３の空気流通口にて衝撃があった場合に吸収する、図２の２背面図は本体と１１と１２の袋の裏面を示す図３右側面図に表す１１は袋状を見た図で図４の平面図についても、１２の袋状、１３の空気流通口である、１５は金的カップ本体を体に固定させるため腰バンドで、１６は股に取り付け固定する。
図３の図１はボディープロテクターの正面図で、１７ボディープロテクターとして図示しているボディープロテクターの本体の機能等をつかさどる、図１の１８ボディーの中心部袋状、１９の右脇腹袋状、２０左脇腹袋状２１の下腹部袋状で構成され、おのおのの袋状よりエァーを流通させる、２図の断面図、２２胸部エァー層、２３ボディー中心部エァー層、２４脇腹エァー層、２５下腹部エァー層にてその機能を果たす役目をする。
図３の図１に示す本体を固定させるための２７のボディー中心部バンドを２９のマジックテープで固定、さらに２８の首バンドを２６のマジックテープで固定し体に密着させ、大切なボディーを守る役目をする。
以上説明をしてきたが図１、図２、図３はすべて、エァー層によって身体を守る役目をしているので機能的には脛当て、金的カップ、ボディープロテクターも同じと言う事である。
【産業上の利用可能性】
【０００９】本考案は空手競技や格闘技、少林寺拳法、テコンドー等に幅広く応用できる。
【符号の説明】
【００１０】１、  脛当て袋状                      １６、股バンド
２、  甲あて袋状                      １７、ボディープロテクター
３、  エァー流通口                    １８、ボディー中心部袋状
４、  エァー流通口                    １９、右脇腹袋状
５、  ふくらはぎバンド                ２０、左脇腹部袋状
６、  足首バンド                      ２１、下腹部袋状
７、  甲バンド                        ２２、胸部袋状
８、  足裏バンド                      ２３、ボディー中心部エァー層
９、  親指バンド                      ２４、脇腹エァー層
１０、すね                            ２５、下腹部エァー層
１１、金的カップ                      ２６、首部マジックテープ
１２、金的袋状                        ２７、ボディー中心部バンド
１３、エァー流通口                    ２８、首バンド
１４、外部エァー穴                    ２９、マジックテープ
１５、腰バンド
【図１】
0003211708.tif 000003
【図２】
0003211708.tif 000004
【図３】
0003211708.tif 000005
【手続補正書】
【提出日】平成29年5月25日(2017.5.25)
【手続補正１】
【補正対象書類名】実用新案登録請求の範囲
【補正対象項目名】全文
【補正方法】変更
【補正の内容】
【実用新案登録請求の範囲】
【請求項１】
ボディープロテクター、脛当て及び金的カップ用具それぞれの内部に袋状のエア層を設け、それに小さな穴を数個開けたエアークッション式プロテクターであって、瞬間的な衝撃に対しても、エアーが瞬間的に流出して衝撃を吸収すると共に、一気に空気が抜けず、クッション性に優れることを特徴とするエアークッション式プロテクター。